(57)【要約】【課題】  小型で、従い美的要求に応える構造形式、並びに比較的高い押し付け力を得ること。【解決手段】  雨センサ（３）を支持体に固定するための装置が底部（１）を有し、該底部には支持体に向いた側に、支持体に取り付けるために接着剤塗布部が設けられており、かつ底部（１）の底板（８）に対して実質的に直角に配向された２つの側方ウェブ（６，７）と、雨センサ（３）の頸部（５）を取り付けるためのものであって相互に対向する２つの頸ウェブと、雨センサ（３）の円形頭部（４）を取り付けるためのものであって傾斜された２つの縁舌片（９，１０）とを有し、さらにカバー部（２）が装備されており、該カバー部は底部（１）の側方ウェブ（６，７）と係合可能な縁ウェブと、プレススプリング舌片（１２）とを有し、該プレススプリング舌片は挿入された雨センサ（３）の頭部（４）にプレバイアス下で当接する。
2008505013.tif 000002
【特許請求の範囲】
【請求項１】
雨センサ（３）を支持体（４７）に取り付けるための装置であって、
底部（１）と、カバー部（２）とを有し、
該底部（１）には支持体（４７）に向いた側に、支持体（４７）に取り付けるために接着剤塗布部（１７，１８，２３，２４）が設けられており、
かつ該底部は、該底部（１）の底板（８）に対して実質的に直角に配向された２つの側方ウェブ（６，７）と、雨センサ（３）の頸部（５）を取り付けるための相互に対向する２つの頸ウェブ（２６，２７）と、雨センサ（３）の円形頭部（４）を取り付けるための傾斜された２つの縁舌片（９，１０）とを有し、
前記カバー部（２）は底部（１）の側方ウェブ（６，７）に係合可能な縁ウェブ（４２，４３）と、プレススプリング舌片（１２）とを有し、
該プレススプリング舌片は挿入された雨センサ（３）の頭部（４）に予付勢をもって当接する、
ことを特徴とする装置。
【請求項２】
請求項１記載の装置において、
前記側方ウェブ（６，７）と前記縁ウェブ（４２，４３）は、舌片切欠部（３６，３７）および該舌片切欠部（３６，３７）にかみ合う張出舌片（４４，４５）の構成を介して相互に係合可能であることを特徴とする装置。
【請求項３】
請求項１または２記載の装置において、
前記底板（８）は、前記側方ウェブ（６，７）間に延在する横方向部分（１９）と、前記側方ウェブ（複数）（６，７）に成形されており、縦方向に延在する２つの縦方向部分（２０，２１）とを有し、
前記横方向部分および該縦方向部分には複数の接着剤塗布部を成す接着剤領域（１７，１８，２３，２４）が設けられていることを特徴とする装置。
【請求項４】
請求項１から３までのいずれか一項記載の装置において、
該プレススプリング舌片（１２）は、カバー板（１１）から離れる方向において前記縁ウェブ（４２，４３）の方向に内側に湾曲されたばね部分（４０）と、
該ばね部分（４０）に続いており、該ばね部分（４０）の湾曲とは反対の向きに湾曲された当接部分（４１）とを有することを特徴とする装置。
【請求項５】
請求項１から４までのいずれか一項記載の装置において、
カバー部（２）は把持舌片（複数）（１５，１６）を有し、該把持舌片は底部（１）の前記側方ウェブ（複数）（６，７）に係合することを特徴とする装置。
【請求項６】
請求項１から５までのいずれか一項記載の装置において、
前記頸ウェブ（複数）（２６，２７）は、雨センサ（３）の前記頸部（５）と係合するための係止手段（２８，２９）を有することを特徴とする装置。
【請求項７】
請求項１から６までのいずれか一項記載の装置において、
係止装置（３２，３３，３４，３５）が、カバーキャップ（５０）との係合のために設けられていることを特徴とする装置。
【発明の詳細な説明】
【技術分野】
【０００１】
本発明は、雨センサ（ないし雨滴センサ）を支持体に取り付けるための装置に関する。
【背景技術】
【０００２】
この種の装置は実際に公知であり、雨センサの皿状頭部を包囲するケージ部材を有する。このケージ部材は支持体としてのガラス板に接着されており、頭部に作用するばねを支持し、これにより頭部をガラス板に対して押し付ける。
【発明の開示】
【０００３】
本発明の基礎とする課題は、雨センサをガラス板に取り付けるための装置を提供することであり、この装置はとりわけ小型であり、従い美的要求に応える構造形式と、比較的高い押し付け力を特徴とする。
【０００４】
この課題は、冒頭に述べた形式の装置において本発明により、次の特徴により、解決される。即ち、底部と、カバー部とを備え、該底部には支持体に向いた側に、支持体に取り付けるために接着剤塗布部が設けられており、かつ該底部は、該底部の底板に対して実質的に直角に配向された２つの側方ウェブと、雨センサの頸部を取り付けるための相互に対向する２つの頸ウェブと、雨センサの円形頭部を取り付けるための傾斜された２つの縁舌片とを有し、前記カバー部は底部の側方ウェブに係合可能な縁ウェブと、プレススプリング舌片とを有し、該プレススプリング舌片は挿入された雨センサの頭部に予付勢をもって（プレバイアス下で）当接することを特徴とする。
【０００５】
これにより本発明の装置では、頸部と円形頭部を有する雨センサが底部とカバー部との間に挿入され、雨センサの頭部は傾斜された縁舌片により、また頸部は頸ウェブにより保持され、プレススプリング舌片により頭部は支持体に対して押し付け可能であり、その際にもたらされる力をカバー部の縁ウェブと底部の側方ウェブとを介して平面で接着剤塗布部に導くことができ、押し付け力が比較的に高くて比較的薄い構造形式が達成される。
【発明を実施するための最良の形態】
【０００６】
本発明のさらなる有利な構成は従属請求項の対象である。
【実施例】
【０００７】
図面を参照した、本発明の有利な実施例の以下の説明からさらなる有利な構成および利点が明らかとなる。
【０００８】
図１は、本発明の装置の実施例の斜視図であり、この装置は底部１とカバー部２を有し、これらは解離可能に相互に結合されている。図１では底部１とカバー部２との間に雨センサ３が挿入されており、この雨センサは円形頭部４と、該頭部４に装着された頸部５を有する。
【０００９】
底部１は、図１の実施例では相互に平行に配置された２つの側方ウェブ（帯板板材）６，７を有し、これらの側方ウェブは底板８に対して直角に配向されている。端部では側方ウェブ６，７に縁舌片９，１０が配設されており、これらの縁舌片は側方ウェブ６，７に角度を以て配向されており、浅い（小さな）角度をもって外側に広げられている。雨センサ３の挿入方向でそれぞれ外側に曲げ出された縁部領域を有する縁舌片９，１０は、本発明の装置で使用される場合、本発明の装置に並置された雨センサ４の頭部４の外周面に当接し、これにより雨センサをとりわけ側方への運動に対して固定する。
【００１０】
カバー部２はカバー板１１によって構成されており、このカバー板の一方の端部にはプレススプリング舌片１２が形成されている。このプレススプリング舌片は、雨センサ３が所定のように配置されると頭部４に当接（圧接）し、この頭部を図１に図示しない、支持体としてのガラス板に対して押し付ける。さらにカバー部２は、カバー板１１に対して実質的に直角に配向された縦部分１３，１４を有する。この縦部分は、プレススプリング舌片１２とは反対の側で底部１の方向に曲げ出された縁部領域を備えて構成されており、この縦部分の自由端部にはカバー板１１に対して直角に配向された把持舌片１５，１６が形成されている。この把持舌片１５，１６は実施例の挿入された配置構成では底部１の側方ウェブ６，７と係合する。
【００１１】
図２は、図１の底部１を、下方から接着剤塗布部の２つのＬ字型接着剤領域１７，１８に向かって見た斜視図である。このＬ字型接着剤領域１７，１８の短く長手方向に幅広の脚部は、側方ウェブ６，７に対して直角に配向された底板８の横方向（ないし横断）部分１９にあり、長く細い脚部は、側方ウェブ６，７に対して同様に直角に配向された底板８の縦方向部分２０，２１の長手方向にある。接着剤領域１７，１８の長い脚部の端部領域では、縦方向部分２０，２１の間に中央ウェブ２２が形成されている。中央ウェブ２２を越えて横方向部分１９の反対側に伸長する縦方向部分２０，２１の端部領域には、接着剤塗布部の接着部領域２３，２４が比較的細く長く設けられている。
【００１２】
接着剤塗布部はいわゆる熱可塑性接着剤により構成され、比較的低い温度での溶融下に底部１に取り付けられ、そこに付着し、比較的高い温度へ加熱した後、流動化するまで溶融して底部１を支持体、例えばガラス板と接着する。底部１が支持体から一定の間隔であることを保証するために、底板８の横方向部分１９，縦方向部分２０，２１および中央ウェブ２２にはスペースホルダ２５が設けられている。図示の実施例では、横方向部分１９と縦方向部分２０，２１の終端縁部が接着剤領域１７，１８，２３，２４を中心に、とりわけコントロールされた流動特性を達成するために大部分が（角取りチャンファとして）丸められた折曲部をもって構成されている。
【００１３】
縦方向部分２０，２１の各端部領域では、この縦方向部分に対して実質的に直角に、従って側方ウェブ６，７に対して平行に頸ウェブ２６，２７が設けられており、それらの間には雨センサ３の頸部５が配置される。端部側で折り曲げられた頸ウェブ２６，２７は係止手段として底部１の縦方向に、相互にずらして配置されたロック切欠部（係止手段）２８，２９を有する。
【００１４】
さらに図２から分るように、底部１の側方ウェブ６、７には保持貫通部（孔部）３０，３１が形成されている。この保持貫通部は、熱可塑性接着剤が溶融する際に、保持装置を接着剤領域１７，１８，２３，２４に係合するために用いられる。同様に側方ウェブ６，７には端部側に、係止装置のロック舌片３２，３３，３４，３５が形成されており、これらは側方で外側に側方ウェブ６，７を越えて突出している。最後に側方ウェブ６，７には舌片切欠部３６，３７と、側方に突出した止め（当り）舌片３８，３９が形成されている。止め舌片（ストッパ）３８，３９は舌片切欠部３６，３７を領域的に覆うよう形成される。
【００１５】
図３は、図１の実施例のカバー部２の斜視図である。図３に特に良好に示されているように、プレススプリング舌片１２はばね部分４０と、当接部分４１を有する。ばね部分４０はカバー板１１に形成されており、カバー板１１から内側へと湾曲されている。当接部分４１はばね部分４０の湾曲とは反対方向に湾曲されており、カバー板１１とは反対の側で雨センサ３の頭部（ヘッド部）４に当接する。
【００１６】
さらにカバー部２は、カバー板１１に対して直角に配向され、相互に実質的に平行に延在する縁ウェブ（複数）４２，４３を有する。これらの縁ウェブ４２，４３は、プレススプリング舌片１２と把持舌片１５，１６との間に延在している。縁ウェブ４２，４３はそれぞれ１つの張出舌片（Ausstellzunge）４４，４５を有し、これらの張出舌片は、側方で外側にそれぞれの縁ウェブ４２，４３を越えて突出している。ここで張出舌片４４，４５は、底部１とカバー部２が組み立てられた状態で、底部１の側方ウェブ６，７に取り付けられた舌片切欠部３６，３７に係合し、対応する止め舌片３８，３９に当接するように構成および配置されている。これにより把持舌片１５，１６の係合と関連して、カバー部２は広い範囲で遊びなしで、かつ解離可能に底部１に固定可能である。
【００１７】
最後に図３から、カバー板１１には対向スプリング舌片４６が形成されていることが分る。この対向スプリング舌片４６は底部１から離れる方向にカバー板１１を越えて突出している。
【００１８】
図４は、雨センサ３が挿入された状態での、図１から図３の本発明の装置の実施例の断面図である。雨センサは支持体としてのガラス板４７に取り付けられており、ガラス板は例えば自動車のフロントウィンドウまたはリヤウィンドウの形態にある。図４から、雨センサ３の頸部５に取り付けられ、頸部５の縦方向で相互にずらして配されたロックノーズ４８，４９がロック切欠部２８，２９に係合しており、雨センサ３を固定していることが分る。さらに図４から、底部１の側方ウェブ６，７と、カバー部２の縁ウェブ４２，４３とは、張出舌片４４，４５が舌片切欠部３６，３７に係合している状態で、並びに図１から分るように、張出舌片４４，４５の外側に支持される状態で相互に当接することが分る。そしてこれにより、プレススプリング舌片１２から雨センサ３の頭部４に及ぼされる力は縁部側全体を介して底部１に導かれる。これにより接着剤領域１７，１８，２３，２４はその接着面全体を介してガラス板４７により実質的に均等に負荷され、縁部側から始まる直線状の剥離が回避される。
【００１９】
全体として図４から、本発明の装置の幅は実質的に雨センサ３の頭部４の直径に相応し、従って比較的薄いことが分る。
【００２０】
図５は、雨センサ３が挿入された、図１から図４の本発明の装置の実施例の縦方向断面図である。本発明の装置に、ロック舌片３２，３３，３４，３５と係合することでカバーキャップ５０が係止されている。図５から、対向スプリング舌片４６がカバーキャップ５０に対して予付勢（プレバイアス）されており、従ってこれが遊びなしで固定されていることが特に良好に分る。さらに図５から、プレススプリング舌片１２の、縁ウェブ４２，４３の方向で内側に湾曲されたばね部分４０が顕著に平坦化されていることがわかる。ここでプレススプリング舌片１２は比較的に大きな押圧圧力を頭部４に及ぼし、この押圧圧力はガラス板４７の境界面でアーティファクトを回避し、雨センサ３がその測定タスクを満たすことができるようにするのに十分である。
【図面の簡単な説明】
【００２１】
【図１】図１は、底部とカバー部との間に挿入された雨センサを有する本発明の装置の実施例の斜視図である。
【図２】図２は、図１の底部を下方から見た斜視図である。
【図３】図３は、図１のカバー部の斜視図である。
【図４】図４は、図１から図３の実施例の断面図である。
【図５】図５は、図１から図４の実施例の縦断面図である。
【図１】
2008505013.tif 000003
【図２】
2008505013.tif 000004
【図３】
2008505013.tif 000005
【図４】
2008505013.tif 000006
【図５】
2008505013.tif 000007
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
雨センサ（３）を支持体（４７）に取り付けるための装置であって、
底部（１）と、２つの側方ウェブ（６，７）と、カバー部（２）とを有し、
前記底部（１）には支持体（４７）に向いた側に、支持体（４７）に取り付けるために接着剤塗布部（１７，１８，２，２４）が設けられており、
前記２つの側方ウェブ（６，７）は、底部（１）の底板（８）に対して実質的に直角に配向されており、
前記カバー部（２）は、底部（１）の側方ウェブ（６，７）と係合可能な縁ウェブ（４２，４３）を有する形式の装置において、
前記底部（１）は、相互に対向し、かつ側方ウェブ（６，７）に対して平行に配向された２つの頸ウェブ（２６，２７）を、雨センサ（３）の頸部（５）を固定するために有しており、
さらに側方ウェブ（複数）（６，７）に取り付けられ、該側方ウェブ（６，７）に対して角度を以て配向され、かつ浅い角度をもって外側に広げられた縁舌片（９，１０）を、雨センサ（３）の円形頭部（４）を固定するために有しており、
前記カバー部（２）は、一方の端部に成形されたプレススプリング舌片（１２）を有し、
該プレススプリング舌片は、カバー板（１１）から離れる方向において縁ウェブ（４２，４３）の方向に内側に湾曲されて配されたばね部分（４０）と、該ばね部分（４０）に続いている当接部分（４１）とを備え、
該当接部分は予付勢をもって、挿入された雨センサ（３）の頭部（４）に当接する、
ことを特徴とする装置。
【請求項２】
請求項１記載の装置において、
前記側方ウェブ（６，７）と前記縁ウェブ（４２，４３）は、舌片切欠部（３６，３７）および該舌片切欠部（３６，３７）にかみ合う張出舌片（４４，４５）の構成を介して相互に係合可能であることを特徴とする装置。
【請求項３】
請求項１または２記載の装置において、
前記底板（８）は、前記側方ウェブ（６，７）間に延在する横方向部分（１９）と、前記側方ウェブ（複数）（６，７）に成形されており、縦方向に延在する２つの縦方向部分（２０，２１）とを有し、
前記横方向部分および該縦方向部分には複数の接着剤塗布部を成す接着剤領域（１７，１８，２３，２４）が設けられていることを特徴とする装置。
【請求項４】
請求項１から３までのいずれか一項記載の装置において、
該当接部分（４１）は、ばね部分（４０）の湾曲とは反対の向きに湾曲されていることを特徴とする装置。
【請求項５】
請求項１から４までのいずれか一項記載の装置において、
カバー部（２）は把持舌片（複数）（１５，１６）を有し、該把持舌片は底部（１）の前記側方ウェブ（複数）（６，７）に係合することを特徴とする装置。
【請求項６】
請求項１から５までのいずれか一項記載の装置において、
前記頸ウェブ（複数）（２６，２７）は、雨センサ（３）の前記頸部（５）と係合するための係止手段（２８，２９）を有することを特徴とする装置。
【請求項７】
請求項１から６までのいずれか一項記載の装置において、
係止装置（３２，３３，３４，３５）が、カバーキャップ（５０）との係合のために設けられていることを特徴とする装置。
【手続補正２】
【補正対象書類名】明細書
【補正対象項目名】０００１
【補正方法】変更
【補正の内容】
【０００１】
本発明は、請求項１の上位概念による、雨センサ（ないし雨滴センサ）を支持体に取り付けるための装置に関する。
【背景技術】
【手続補正３】
【補正対象書類名】明細書
【補正対象項目名】０００２
【補正方法】変更
【補正の内容】
【０００２】
この種の装置はＥＰ１０４０９６２Ａ２から公知である。この装置では、底部がリング状に構成されており、雨センサを包囲する。バックミラーの脚部の形態にあるカバー部は底部にクリップ留めすることができる。
ＤＥ１００６０４４７Ａ１から、センサ装置の組み込まれたルームミラー装置が公知であり、このルームミラー装置は種々の固定手段を、ルームミラー装置の一部とセンサ装置の一部を接続するために有する。
さらに雨センサを支持体に固定するための装置は実際に公知であり、通常は雨センサの皿状頭部を包囲するケージ部材を有する。このケージ部材は支持体としてのガラス板に接着されており、頭部に作用するばねを支持し、これにより頭部をガラス板に対して押し付ける。
【特許文献１】  ＥＰ１０４０９６２Ａ２
【特許文献２】  ＤＥ１００６０４４７Ａ１
【発明の開示】
【手続補正４】
【補正対象書類名】明細書
【補正対象項目名】０００３
【補正方法】変更
【補正の内容】
【０００３】
本発明の基礎とする課題は、冒頭に述べた形式の装置において、この装置がとりわけ小型であり、従い美的要求に応える構造形式と、比較的高い押し付け力を特徴とするように構成することである。
【手続補正５】
【補正対象書類名】明細書
【補正対象項目名】０００４
【補正方法】変更
【補正の内容】
【０００４】
この課題は冒頭に述べた形式の装置において、請求項１の特徴部分の構成によって解決される。
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
雨センサ（３）を支持体（４７）に取り付けるための装置であって、
底部（１）と、２つの側方ウェブ（６，７）と、カバー部（２）とを有し、
前記底部（１）には支持体（４７）に向いた側に、支持体（４７）に取り付けるために接着剤塗布部（１７，１８，２，２４）が設けられており、
前記２つの側方ウェブ（６，７）は、底部（１）の底板（８）に対して直角に配向されており、
前記カバー部（２）は、底部（１）の側方ウェブ（６，７）と係合可能な縁ウェブ（４２，４３）を有する形式の装置において、
前記底部（１）は、相互に対向し、かつ側方ウェブ（６，７）に対して平行に配向された２つの頸ウェブ（２６，２７）を、雨センサ（３）の頸部（５）を固定するために有しており、
さらに側方ウェブ（複数）（６，７）に取り付けられ、該側方ウェブ（６，７）に対して角度を以て配向され、かつ浅い角度をもって外側に広げられた縁舌片（９，１０）を、雨センサ（３）の頭部（４）を固定するために有しており、
前記カバー部（２）は、一方の端部に成形されたプレススプリング舌片（１２）を有し、
該プレススプリング舌片は、カバー板（１１）から離れる方向において内側に湾曲されかつ縁ウェブ（４２，４３）の方向に延在して配されたばね部分（４０）と、該ばね部分（４０）に続いている当接部分（４１）とを備え、
該当接部分は予付勢をもって、挿入された雨センサ（３）の頭部（４）に当接する、
ことを特徴とする装置。
【請求項２】
請求項１記載の装置において、
前記側方ウェブ（６，７）と前記縁ウェブ（４２，４３）は、舌片切欠部（３６，３７）および該舌片切欠部（３６，３７）にかみ合う張出舌片（４４，４５）の構成を介して相互に係合可能であることを特徴とする装置。
【請求項３】
請求項１または２記載の装置において、
前記底板（８）は、前記側方ウェブ（６，７）間に延在する横方向部分（１９）と、前記側方ウェブ（複数）（６，７）に成形されており、縦方向に延在する２つの縦方向部分（２０，２１）とを有し、
前記横方向部分および該縦方向部分には複数の接着剤塗布部を成す接着剤領域（１７，１８，２３，２４）が設けられていることを特徴とする装置。
【請求項４】
請求項１から３までのいずれか一項記載の装置において、
該当接部分（４１）は、ばね部分（４０）の湾曲とは反対の向きに湾曲されていることを特徴とする装置。
【請求項５】
請求項１から４までのいずれか一項記載の装置において、
カバー部（２）は把持舌片（複数）（１５，１６）を有し、該把持舌片は底部（１）の前記側方ウェブ（複数）（６，７）に係合することを特徴とする装置。
【請求項６】
請求項１から５までのいずれか一項記載の装置において、
前記頸ウェブ（複数）（２６，２７）は、雨センサ（３）の前記頸部（５）と係合するための係止手段（２８，２９）を有することを特徴とする装置。
【請求項７】
請求項１から６までのいずれか一項記載の装置において、
係止装置（３２，３３，３４，３５）が、カバーキャップ（５０）との係合のために設けられていることを特徴とする装置。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念による、雨センサ（ないし雨滴センサ）を支持体に取り付けるための装置に関する。即ち、本発明は、雨センサを支持体に取り付けるための装置であって、底部と、２つの側方ウェブと、カバー部とを有し、前記底部には支持体に向いた側に、支持体に取り付けるために接着剤塗布部が設けられており、前記２つの側方ウェブは、底部の底板に対して実質的に直角に配向されており、前記カバー部は、底部の側方ウェブと係合可能な縁ウェブを有する形式の装置に関する。
【背景技術】
【０００２】
この種の装置はＥＰ１０４０９６２Ａ２から公知である。この装置では、底部がリング状に構成されており、雨センサを包囲する。バックミラーの脚部の形態にあるカバー部は底部にクリップ留めすることができる。
ＤＥ１００６０４４７Ａ１から、センサ装置の組み込まれたルームミラー装置が公知であり、このルームミラー装置は種々の固定手段を、ルームミラー装置の一部とセンサ装置の一部を接続するために有する。
さらに雨センサを支持体に固定するための装置は実際に公知であり、通常は雨センサの皿状頭部を包囲するケージ部材を有する。このケージ部材は支持体としてのガラス板に接着されており、頭部に作用するばねを支持し、これにより頭部をガラス板に対して押し付ける。
【特許文献１】ＥＰ１０４０９６２Ａ２
【特許文献２】ＤＥ１００６０４４７Ａ１
【発明の開示】
【０００３】
本発明の基礎とする課題は、冒頭に述べた形式の装置において、この装置がとりわけ小型であり、従い美的要求に応える構造形式と、比較的高い押し付け力を特徴とするように構成することである。
【０００４】
この課題は冒頭に述べた形式の装置において、請求項１の特徴部分の構成によって解決される。即ち、本発明は上記形式の装置において、前記底部は、相互に対向し、かつ側方ウェブに対して平行に配向された２つの頸ウェブを、雨センサの頸部を固定するために有しており、さらに側方ウェブ（複数）に取り付けられ、該側方ウェブに対して角度を以て配向され、かつ浅い角度をもって外側に広げられた縁舌片を、雨センサの頭部を固定するために有しており、前記カバー部は、一方の端部に成形されたプレススプリング舌片を有し、該プレススプリング舌片は、カバー板から離れる方向において内側に湾曲されかつ縁ウェブの方向に延在して配されたばね部分と、該ばね部分に続いている当接部分とを備え、該当接部分は予付勢をもって、挿入された雨センサの頭部に当接する、ことを特徴とする。
【０００５】
これにより本発明の装置では、頸部と円形頭部を有する雨センサが底部とカバー部との間に挿入され、雨センサの頭部は傾斜された縁舌片により、また頸部は頸ウェブにより保持され、プレススプリング舌片により頭部は支持体に対して押し付け可能であり、その際にもたらされる力をカバー部の縁ウェブと底部の側方ウェブとを介して平面で接着剤塗布部に導くことができ、押し付け力が比較的に高くて比較的薄い構造形式が達成される。
【発明を実施するための最良の形態】
【０００６】
本発明のさらなる有利な構成は従属請求項の対象である。
前記側方ウェブと前記縁ウェブは、舌片切欠部および該舌片切欠部にかみ合う張出舌片の構成を介して相互に係合可能であることを特徴とする。（請求項２）
前記底板は、前記側方ウェブ間に延在する横方向部分と、前記側方ウェブ（複数）に成形されており、縦方向に延在する２つの縦方向部分とを有し、前記横方向部分および該縦方向部分には複数の接着剤塗布部を成す接着剤領域が設けられていることを特徴とする。（請求項３）
該当接部分は、ばね部分の湾曲とは反対の向きに湾曲されていることを特徴とする。（請求項４）
カバー部は把持舌片（複数）を有し、該把持舌片は底部の前記側方ウェブ（複数）に係合することを特徴とする。（請求項５）
前記頸ウェブ（複数）は、雨センサの前記頸部と係合するための係止手段を有することを特徴とする。（請求項６）
係止装置が、カバーキャップとの係合のために設けられていることを特徴とする。（請求項７）
なお、特許請求の範囲の各請求項に付記した図面参照符号は、専ら理解を助けるためであり、図示の態様に本発明を限定することを意図するものではない。
【実施例】
【０００７】
図面を参照した、本発明の有利な実施例の以下の説明からさらなる有利な構成および利点が明らかとなる。
【０００８】
図１は、本発明の装置の実施例の斜視図であり、この装置は底部１とカバー部２を有し、これらは解離可能に相互に結合されている。図１では底部１とカバー部２との間に雨センサ３が挿入されており、この雨センサは円形頭部４と、該頭部４に装着された頸部５を有する。
【０００９】
底部１は、図１の実施例では相互に平行に配置された２つの側方ウェブ（帯板板材）６，７を有し、これらの側方ウェブは底板８に対して直角に配向されている。端部では側方ウェブ６，７に縁舌片９，１０が配設されており、これらの縁舌片は側方ウェブ６，７に角度を以て配向されており、浅い（小さな）角度をもって外側に広げられている。雨センサ３の挿入方向でそれぞれ外側に曲げ出された縁部領域を有する縁舌片９，１０は、本発明の装置で使用される場合、本発明の装置に並置された雨センサ４の頭部４の外周面に当接し、これにより雨センサをとりわけ側方への運動に対して固定する。
【００１０】
カバー部２はカバー板１１によって構成されており、このカバー板の一方の端部にはプレススプリング舌片１２が形成されている。このプレススプリング舌片は、雨センサ３が所定のように配置されると頭部４に当接（圧接）し、この頭部を図１に図示しない、支持体としてのガラス板に対して押し付ける。さらにカバー部２は、カバー板１１に対して実質的に直角に配向された縦部分１３，１４を有する。この縦部分は、プレススプリング舌片１２とは反対の側で底部１の方向に曲げ出された縁部領域を備えて構成されており、この縦部分の自由端部にはカバー板１１に対して直角に配向された把持舌片１５，１６が形成されている。この把持舌片１５，１６は実施例の挿入された配置構成では底部１の側方ウェブ６，７と係合する。
【００１１】
図２は、図１の底部１を、下方から接着剤塗布部の２つのＬ字型接着剤領域１７，１８に向かって見た斜視図である。このＬ字型接着剤領域１７，１８の短く長手方向に幅広の脚部は、側方ウェブ６，７に対して直角に配向された底板８の横方向（ないし横断）部分１９にあり、長く細い脚部は、側方ウェブ６，７に対して同様に直角に配向された底板８の縦方向部分２０，２１の長手方向にある。接着剤領域１７，１８の長い脚部の端部領域では、縦方向部分２０，２１の間に中央ウェブ２２が形成されている。中央ウェブ２２を越えて横方向部分１９の反対側に伸長する縦方向部分２０，２１の端部領域には、接着剤塗布部の接着部領域２３，２４が比較的細く長く設けられている。
【００１２】
接着剤塗布部はいわゆる熱可塑性接着剤により構成され、比較的低い温度での溶融下に底部１に取り付けられ、そこに付着し、比較的高い温度へ加熱した後、流動化するまで溶融して底部１を支持体、例えばガラス板と接着する。底部１が支持体から一定の間隔であることを保証するために、底板８の横方向部分１９，縦方向部分２０，２１および中央ウェブ２２にはスペースホルダ２５が設けられている。図示の実施例では、横方向部分１９と縦方向部分２０，２１の終端縁部が接着剤領域１７，１８，２３，２４を中心に、とりわけコントロールされた流動特性を達成するために大部分が（角取りチャンファとして）丸められた折曲部をもって構成されている。
【００１３】
縦方向部分２０，２１の各端部領域では、この縦方向部分に対して実質的に直角に、従って側方ウェブ６，７に対して平行に頸ウェブ２６，２７が設けられており、それらの間には雨センサ３の頸部５が配置される。端部側で折り曲げられた頸ウェブ２６，２７は係止手段として底部１の縦方向に、相互にずらして配置されたロック切欠部（係止手段）２８，２９を有する。
【００１４】
さらに図２から分るように、底部１の側方ウェブ６、７には保持貫通部（孔部）３０，３１が形成されている。この保持貫通部は、熱可塑性接着剤が溶融する際に、保持装置を接着剤領域１７，１８，２３，２４に係合するために用いられる。同様に側方ウェブ６，７には端部側に、係止装置のロック舌片３２，３３，３４，３５が形成されており、これらは側方で外側に側方ウェブ６，７を越えて突出している。最後に側方ウェブ６，７には舌片切欠部３６，３７と、側方に突出した止め（当り）舌片３８，３９が形成されている。止め舌片（ストッパ）３８，３９は舌片切欠部３６，３７を領域的に覆うよう形成される。
【００１５】
図３は、図１の実施例のカバー部２の斜視図である。図３に特に良好に示されているように、プレススプリング舌片１２はばね部分４０と、当接部分４１を有する。ばね部分４０はカバー板１１に形成されており、カバー板１１から内側へと湾曲されている。当接部分４１はばね部分４０の湾曲とは反対方向に湾曲されており、カバー板１１とは反対の側で雨センサ３の頭部（ヘッド部）４に当接する。
【００１６】
さらにカバー部２は、カバー板１１に対して直角に配向され、相互に実質的に平行に延在する縁ウェブ（複数）４２，４３を有する。これらの縁ウェブ４２，４３は、プレススプリング舌片１２と把持舌片１５，１６との間に延在している。縁ウェブ４２，４３はそれぞれ１つの張出舌片（Ausstellzunge）４４，４５を有し、これらの張出舌片は、側方で外側にそれぞれの縁ウェブ４２，４３を越えて突出している。ここで張出舌片４４，４５は、底部１とカバー部２が組み立てられた状態で、底部１の側方ウェブ６，７に取り付けられた舌片切欠部３６，３７に係合し、対応する止め舌片３８，３９に当接するように構成および配置されている。これにより把持舌片１５，１６の係合と関連して、カバー部２は広い範囲で遊びなしで、かつ解離可能に底部１に固定可能である。
【００１７】
最後に図３から、カバー板１１には対向スプリング舌片４６が形成されていることが分る。この対向スプリング舌片４６は底部１から離れる方向にカバー板１１を越えて突出している。
【００１８】
図４は、雨センサ３が挿入された状態での、図１から図３の本発明の装置の実施例の断面図である。雨センサは支持体としてのガラス板４７に取り付けられており、ガラス板は例えば自動車のフロントウィンドウまたはリヤウィンドウの形態にある。図４から、雨センサ３の頸部５に取り付けられ、頸部５の縦方向で相互にずらして配されたロックノーズ４８，４９がロック切欠部２８，２９に係合しており、雨センサ３を固定していることが分る。さらに図４から、底部１の側方ウェブ６，７と、カバー部２の縁ウェブ４２，４３とは、張出舌片４４，４５が舌片切欠部３６，３７に係合している状態で、並びに図１から分るように、張出舌片４４，４５の外側に支持される状態で相互に当接することが分る。そしてこれにより、プレススプリング舌片１２から雨センサ３の頭部４に及ぼされる力は縁部側全体を介して底部１に導かれる。これにより接着剤領域１７，１８，２３，２４はその接着面全体を介してガラス板４７により実質的に均等に負荷され、縁部側から始まる直線状の剥離が回避される。
【００１９】
全体として図４から、本発明の装置の幅は実質的に雨センサ３の頭部４の直径に相応し、従って比較的薄いことが分る。
【００２０】
図５は、雨センサ３が挿入された、図１から図４の本発明の装置の実施例の縦方向断面図である。本発明の装置に、ロック舌片３２，３３，３４，３５と係合することでカバーキャップ５０が係止されている。図５から、対向スプリング舌片４６がカバーキャップ５０に対して予付勢（プレバイアス）されており、従ってこれが遊びなしで固定されていることが特に良好に分る。さらに図５から、プレススプリング舌片１２の、縁ウェブ４２，４３の方向で内側に湾曲されたばね部分４０が顕著に平坦化されていることがわかる。ここでプレススプリング舌片１２は比較的に大きな押圧圧力を頭部４に及ぼし、この押圧圧力はガラス板４７の境界面でアーティファクトを回避し、雨センサ３がその測定タスクを満たすことができるようにするのに十分である。
【図面の簡単な説明】
【００２１】
【図１】図１は、底部とカバー部との間に挿入された雨センサを有する本発明の装置の実施例の斜視図である。
【図２】図２は、図１の底部を下方から見た斜視図である。
【図３】図３は、図１のカバー部の斜視図である。
【図４】図４は、図１から図３の実施例の断面図である。
【図５】図５は、図１から図４の実施例の縦断面図である。
【国際調査報告】
2008505013.tif 000008
2008505013.tif 000009
2008505013.tif 000010
2008505013.tif 000011